(57)【特許請求の範囲】
【請求項１】
テープ基材と、
前記テープ基材に形成された回路パターンと、
前記テープ基材に前記回路パターンとは離間して形成され、検査対象物が不良品であることを示す打ち抜き穴が正しい位置に穿設されたか否かを確認するための位置ずれ認識用パターンと、を含み
前記位置ずれ認識用パターンを、前記打ち抜き穴の長さに対応した間隔を隔てて配置された２つの四角形で構成した
テープキャリア。
【請求項２】
前記打ち抜き穴の形状を矩形状とすると共に、
前記位置ずれ認識用パターンを構成する２つの四角形の各々は、前記打ち抜き穴を穿設すべき正しい位置を基準として、前記テープ基材の長さ方向外側の限界を示す第１の外側辺、前記テープ基材の長さ方向内側の限界を示す第１の内側辺、前記テープ基材の幅方向外側の限界を示す第２の外側辺、及び前記テープ基材の幅方向内側の限界を示す第２の内側辺を備えた請求項１記載のテープキャリア。
【請求項３】
請求項１または請求項２記載のテープキャリアに半導体素子を実装した半導体装置。
【請求項４】
請求項１記載のテープキャリアに穿設された前記打ち抜き穴により打ち抜かれた後に残った前記位置ずれ認識用パターンの形状から前記打ち抜き穴が正しい位置に穿設されたか否かを判定する位置ずれ判定方法。
【請求項５】
請求項２記載のテープキャリアに穿設された前記打ち抜き穴の前記テープ基材の幅方向に沿った辺が、前記第１の外側辺と前記第１の内側辺との間に位置し、かつ、前記打ち抜き穴の前記テープ基材の長さ方向に沿った辺が、前記第２の外側辺と前記第２の内側辺との間に位置する場合に、前記打ち抜き穴が正しい位置に穿設されていると判定する位置ずれ判定方法。
【発明の詳細な説明】
【技術分野】
【０００１】
本発明は、テープキャリア、半導体装置及び位置ずれ判定方法に関するものである。
【背景技術】
【０００２】
従来、テープキャリアに半導体素子を実装したＴＣＰ（Ｔａｐｅ  Ｃａｒｒｉｅｒ  Ｐａｃｋａｇｅ）パッケージやＣＯＦ（Ｃｈｉｐ  Ｏｎ  Ｆｉｌｍ）パッケージの半導体装置の不良品検査において、半導体装置が複数形成されたテープキャリアを検査装置に搬送して各半導体装置の試験を行い、試験の結果、不良品であると判定された半導体装置をテープキャリアに打ち抜き穴を穿設することにより除去することが行われている。
【０００３】
この打ち抜き穴の穿設位置にずれが生じると、テープキャリア上に隣接して形成された半導体装置部分にまで打ち抜き穴が及んでしまい、良品の半導体装置が破損する可能性があるという問題があった。そこで、打ち抜き穴を撮像した画像データから打ち抜き穴の絶対座標または所定のパーフォレーションに対する相対座標を取得し、打ち抜き穴の基準位置情報と比較することで位置不良を検出する打ち抜き穴不良検出方法が提案されている（例えば、特許文献１）。
【特許文献１】特開２００６−１８６３９５号公報
【発明の開示】
【発明が解決しようとする課題】
【０００４】
しかしながら、上記打ち抜き穴不良検出方法では、撮像された打ち抜き穴の画像データから打ち抜き穴の位置を絶対座標で検出しているため、撮像位置に搬送されるテープキャリア自体に位置ずれを生じている場合には、打ち抜き穴の位置ずれを正確に検出することができない、という問題がある。また、打ち抜き穴の位置を所定のパーフォレーションに対する相対座標で検出する場合は、所定のパーフォレーションの位置と打ち抜き穴との位置を一定に保つことが困難である、という問題がある。さらに、目視により打ち抜き穴の位置ずれ検出を行う場合で、特に位置ずれ公差が小さい場合には、実際に位置ずれ量が許容範囲内に収まっているか否かを判定することが困難である、という問題がある。
【０００５】
本発明は、上記の問題点を解決するためになされたもので、不良品打ち抜き穴の位置ずれを目視により判定することができるテープキャリア、半導体装置及び位置ずれ判定方法を提供することを目的とする。
【課題を解決するための手段】
【０００６】
上記目的を達成するために、本発明のテープキャリアは、テープ基材と、前記テープ基材に形成された回路パターンと、前記テープ基材に前記回路パターンとは離間して形成され、検査対象物が不良品であることを示す打ち抜き穴が正しい位置に穿設されたか否かを確認するための位置ずれ認識用パターンと、を含んで構成されている。この位置ずれ認識用パターンは、検査対象物が不良品であることを示す打ち抜き穴が正しい位置に穿設された際に、予め定められた領域が前記打ち抜き穴によって打ち抜かれ、前記打ち抜き穴が前記正しい位置からずれて穿設された際に、前記予め定められた領域以外の部分が前記打ち抜き穴によって打ち抜かれる位置に形成されている。
【０００７】
このように、本発明のテープキャリアによれば、位置ずれ認識用パターンは、回路パターンと共にテープ基材に形成される。そして、位置ずれ認識用パターンは、検査対象物が不良品であることを示す打ち抜き穴が正しい位置に穿設された際に、予め定められた領域が打ち抜き穴によって打ち抜かれ、打ち抜き穴が正しい位置からずれて穿設された際に、予め定められた領域以外の部分が打ち抜き穴によって打ち抜かれる位置に形成される。
【０００８】
このため、打ち抜き穴が穿設された後のテープキャリア上の位置ずれ認識用パターンの予め定められた領域が打ち抜き穴によって打ち抜かれ、予め定められた領域以外の部分が打ち抜き穴によって打ち抜かれていなければ、打ち抜き穴は正しい位置に穿設されていると判定できる。また、打ち抜き穴の位置は、テープキャリア上に搭載された半導体素子や回路パターンの位置に対して決定されるため、位置ずれ認識用パターンが回路パターンと共に形成されることにより、位置ずれ認識用パターンに対する打ち抜き穴の正しい位置が一定に保たれる。
【０００９】
また、本発明のテープキャリアは、前記位置ずれ認識用パターンを、前記打ち抜き穴の長さに対応した間隔を隔てて配置された２つの四角形で構成するようにしている。さらに、前記打ち抜き穴の形状を矩形状とし、前記位置ずれ認識用パターンを構成する２つの四角形の各々を、前記打ち抜き穴を穿設すべき正しい位置を基準として、前記テープ基材の長さ方向の外側限界を示す第１の外側辺、前記テープ基材の長さ方向内側の限界を示す第１の内側辺、前記テープ基材の幅方向外側の限界を示す第２の外側辺、及び前記テープ基材の幅方向内側の限界を示す第２の内側辺を備えるものとしている。
【００１０】
本発明のテープキャリアによれば、四角形で構成された位置ずれ認識用パターンの各辺は、縦長四角形状の打ち抜き穴の穿設すべき正しい位置を基準として、テープ基材の長さ方向外側の限界、テープ基材の長さ方向内側の限界、テープ基材の幅方向外側の限界、及びテープ基材の幅方向内側の限界を示しているため、位置ずれ認識用パターンの状態を目視で確認することによって、位置ずれを判定することができる。また、位置ずれ認識用パターンを打ち抜き穴の長さに対応した間隔を隔てて配置することにより、打ち抜き穴のテープ基材の長さ方向及び幅方向に対する位置ずれだけでなく、斜めに回転した位置ずれも判定することができる。
【００１１】
また、本発明の半導体装置は、上記テープキャリアに半導体素子を実装したものである。
【００１２】
また、本発明の位置ずれ判定方法は、テープキャリアに穿設された前記打ち抜き穴により打ち抜かれた後に残った前記位置ずれ認識用パターンの形状から前記打ち抜き穴が正しい位置に穿設されたか否かを判定するものである。
【００１３】
このように、打ち抜き穴で打ち抜かれた後に残った位置ずれ認識用パターンの形状から、目視等により容易に打ち抜き穴が正しい位置に穿設されているか否かを判定することができる。
【００１４】
また、本発明の位置ずれ判定方法は、上記テープキャリアに穿設された前記打ち抜き穴の前記テープ基材の幅方向に沿った辺が、前記第１の外側辺と前記第１の内側辺との間に位置し、かつ、前記打ち抜き穴の前記テープ基材の長さ方向に沿った辺が、前記第２の外側辺と前記第２の内側辺との間に位置する場合に、前記打ち抜き穴が正しい位置に穿設されていると判定するものである。
【００１５】
本発明の位置ずれ判定方法によれば、細長四角形の打ち抜き穴のテープ基材の幅方向に沿った辺が、位置ずれ認識用パターンのテープ基材の長さ方向の外側の限界を示す辺と内側の限界を示す辺との間に位置し、打ち抜き穴のテープ基材の長さ方向に沿った辺が、位置ずれ認識用パターンのテープ基材の幅方向の外側の限界を示す辺と内側の限界を示す辺との間に位置するかを判定することにより、打ち抜き穴が正しい位置に穿設されているかを目視等により容易に判定することができる。
【発明の効果】
【００１６】
以上説明したように、本発明のテープキャリア、半導体装置及び位置ずれ判定方法によれば、不良品打ち抜き穴の位置ずれを目視等により容易に判定することができる、という効果が得られる。
【発明を実施するための最良の形態】
【００１７】
以下、図面を参照して本発明の実施の形態を説明する。
【００１８】
図１に、本実施の形態に係る半導体装置１０の平面図を示す。
【００１９】
半導体装置１０は、半導体素子１２がテープキャリア１４の裏面から実装される形態をとる。テープキャリア１４は、ポリイミドなどからなるベースフィルム（テープ状部材）１６と、ベースフィルム１６の表面に形成され、半導体素子１２とバンプを介して電気的に接続されるインナーリードを含む回路パターン１８と、回路パターン１８と共に形成され、後述する方法により不良品打ち抜き穴の位置ずれを判定するための位置ずれ認識用パターン２０と、インナーリードを保護するように形成されるソルダーレジスト２２（絶縁層）とを含んで構成される。図１では、長尺状のテープキャリアの一部分（１つの半導体装置分）を示している。
【００２０】
位置ずれ認識用パターン２０は、半導体装置１０が複数形成されたテープキャリア１４を検査装置に搬送して各半導体装置１０の試験を行い、試験の結果、不良品であると判定された半導体装置１０をテープキャリア１４に打ち抜き穴を穿設することにより除去するための打ち抜き穴が正しい位置に穿設されているか否かを判定するためのものである。
【００２１】
図２に示すように、打ち抜き穴２６は、ベースフィルム１６の長さ方向（矢印Ａの方向）に平行な２辺及びベースフィルム１６の幅方向（矢印Ｂの方向）に平行な２辺からなる矩形状（本実施の形態では細長四角形の形状）である。打ち抜き穴２６を穿設すべき正しい位置は、同図（Ａ）中の破線２４で示す半導体素子１２の周辺を囲む位置である。位置ずれ認識用パターン２０ａ、２０ｂは、打ち抜き穴２６の正しい位置における矢印Ｂの方向の辺の両端に位置する。なお、図２では、インナーリード以外の回路パターン１８の部分の図示を省略している。
【００２２】
図３に、図２の位置ずれ認識用パターン２０ａ周辺の拡大図を示す。位置ずれ認識用パターン２０ａは、打ち抜き穴２６を穿設すべき正しい位置を基準として、矢印Ａの方向の外側の限界を示す辺２０１ａ、矢印Ａの方向の内側の限界を示す辺２０２ａ、矢印Ｂの方向の外側の限界を示す辺２０３ａ、及び矢印Ｂの方向の内側の限界を示す辺２０４ａからなる四角形である。
【００２３】
次に、上記位置ずれ認識用パターン２０を備えたテープキャリア１４の製造方法について説明する。
【００２４】
まず、絶縁性接着剤の下面にカバーテープが貼着されたベースフィルム１６に、金型あるいはエッチングで必要なホールを開口する。このホールとは、インナーリードと電極パッドとを接続するためのボンディングホール、及びベースフィルム１６の位置決めや搬送に使用するパーフォレーションホール２８等である。
【００２５】
次に、カバーテープを剥離し、絶縁性接着剤に銅箔を貼り付ける。引き続き、銅箔の下面に感光レジストを塗布し、銅箔の上面にバックコート材を塗布する。
【００２６】
次に、感光レジストに、回路パターン１８及び位置ずれ認識用パターン２０を焼き付けたマスクを介して露光・現像すると、感光レジストの所定部分が現像液により溶かされて、パターン（凹部）が形成される。さらに、エッチングを施すことで銅箔の露出部分が加工され、感光レジスト及びバックコート材を剥離すると、回路パターン１８及び位置ずれ認識用パターン２０が形成される。
【００２７】
ここで、位置ずれ認識用パターン２０は、図４に示すように、回路パターン１８に含まれる半導体素子１２に接続される信号配線に接していない（同図中破線部）。このため、打ち抜きを行わない良品に対して位置ずれ認識用パターン２０が残っていても半導体装置１０への影響はない。
【００２８】
さらに、回路パターン１８の一部に、例えばスクリーン印刷などの方法によりソルダーレジスト２２を塗布する。以上でテープキャリア１４が完成する。
【００２９】
次に、位置ずれ認識用パターン２０を用いた打ち抜き穴位置ずれ判定方法について説明する。
【００３０】
図２（Ｂ）に、不良品であると判定されて、打ち抜き穴２６が穿設されたテープキャリア１４を示す。図２（Ｂ）の例では、打ち抜き穴２６は正しい位置に穿設されており、位置ずれ認識用パターン２０の一部が欠けた状態となっている。
【００３１】
打ち抜き穴２６が正しい位置に穿設されているか否かは、図５（Ａ）に示すように、打ち抜き穴２６の矢印Ｂの方向に平行な辺が、位置ずれ認識用パターン２０の矢印Ａの方向の外側の限界を示す辺２０１ａと内側の限界を示す辺２０２ａとの間に位置し、打ち抜き穴２６の矢印Ａの方向に平行な辺が、位置ずれ認識用パターン２０の矢印Ｂの方向の外側の限界を示す辺２０３ａと内側の限界を示す辺２０４ａとの間に位置するかを判定することにより行う。すなわち、目視による判定では、位置ずれ認識用パターン２０の矢印Ａの方向の内側の限界を示す辺２０２ａの一部と、矢印Ｂの方向の内側の限界を示す辺２０４ａの一部とが打ち抜き穴２６によって打ち抜かれており、矢印Ａの方向の外側の限界を示す辺２０１ａの全部と矢印Ｂの方向の外側の限界を示す辺２０３ａの全部とが打ち抜き穴２６によって打ち抜かれていない場合には、打ち抜き穴２６は正しい位置に穿設されていると判断する。
【００３２】
図５（Ｂ）に示すように、矢印Ａの方向の外側の限界を示す辺２０１ａの一部が打ち抜かれている場合には、打ち抜き穴２６の穿設位置が矢印Ａの方向の限界を超えており、矢印Ａの方向の外側に位置ずれを生じていると判定する。同様に、同図（Ｃ）に示すように、矢印Ａの方向の内側の限界を示す辺２０２ａの全部及び矢印Ｂの方向の内側の限界を示す辺２０４ａの全部が残っている場合には、矢印Ａの方向の内側及び矢印Ｂの方向の内側のいずれか、または両方に位置ずれが生じていると判定する。また、同図（Ｄ）に示すように、矢印Ｂの方向の外側の限界を示す辺２０３ａの一部が打ち抜かれている場合には、矢印Ｂの方向の外側に位置ずれを生じていると判定する。また、同図（Ｅ）に示すように、位置ずれ認識用パターン２０の全部が打ち抜かれている場合には、矢印Ａの方向の外側及び矢印Ｂの方向の外側の両方に位置ずれが生じていると判定する。
【００３３】
このように、回路パターンと共に形成され、打ち抜き穴の外側及び内側の限界を示す辺により構成された位置ずれ認識用パターンをテープキャリアに設けることにより、不良品打ち抜き穴の位置ずれを目視等により容易に判定することができる。
【００３４】
なお、本実施の形態では、目視により位置ずれ認識用パターンの状態を確認することで打ち抜き穴の位置ずれを判定する場合について説明したが、読取センサや撮像装置と、コンピュータとを含んで構成される位置ずれ判定装置により判定するようにしてもよい。例えば、光学式の読取センサ等で打ち抜き穴穿設後の位置ずれ認識用パターンを読み取ったデータや、位置ずれ認識用パターンを撮像装置で撮像した画像データに基づいて、上述の方法と同様の方法で位置ずれを判定するプログラムをコンピュータで実行することにより位置ずれを判定してもよい。
【００３５】
また、本実施の形態では、四角形の位置ずれ認識パターンを細長四角形の打ち抜き穴のベースフィルムの幅方向に沿った辺の両端に配置する場合について説明したが、打ち抜き穴の形状に対応して、抜き穴が正しい位置に穿設された際に、予め定められた領域が打ち抜き穴によって打ち抜かれると共に、打ち抜き穴が前記正しい位置からずれて穿設された際に、予め定められた領域以外の部分が打ち抜き穴によって打ち抜かれる位置に形成されるものであればよい。
【図面の簡単な説明】
【００３６】
【図１】本実施の形態に係る半導体装置１０の平面図である。
【図２】位置ずれ認識用パターン及び打ち抜き穴の位置を示す図である。
【図３】位置ずれ認識用パターンの概略図である。
【図４】位置ずれ認識用パターンと回路パターンとの関係を示す概略図である。
【図５】位置ずれ判定方法を説明するための図である。
【符号の説明】
【００３７】
１０   半導体装置
１２   半導体素子
１４   テープキャリア
１６   ベースフィルム
１８   回路パターン
２０   位置ずれ認識用パターン
２２   ソルダーレジスト
２６   打ち抜き穴
【図１】
0005108594.tif 000002
【図２】
0005108594.tif 000003
【図３】
0005108594.tif 000004
【図５】
0005108594.tif 000005
【図４】
0005108594.tif 000006